(57)【要約】【課題】洗浄ノズルの全長に紫外線を照射することができる衛生洗浄装置を提供することを目的とする。【解決手段】ケーシングと、前記ケーシングに収納され、人体局部に吐水する洗浄ノズルと、前記洗浄ノズルの外周表面に紫外線を照射する光源と、前記洗浄ノズルおよび前記光源を前記ケーシング内外に進退させる移動部と、を備え、前記光源は、前記移動部により前記ケーシング外に進出し、前記移動部により前記ケーシング外に進出した前記洗浄ノズルの外周表面に紫外線を照射することを特徴とする衛生洗浄装置が提供される。【選択図】図１
2010189849.tif 000002
【特許請求の範囲】
【請求項１】
ケーシングと、
前記ケーシングに収納され、人体局部に吐水する洗浄ノズルと、
前記洗浄ノズルの外周表面に紫外線を照射する光源と、
前記洗浄ノズルおよび前記光源を前記ケーシング内外に進退させる移動部と、
を備え、
前記光源は、前記移動部により前記ケーシング外に進出し、前記移動部により前記ケーシング外に進出した前記洗浄ノズルの外周表面に紫外線を照射することを特徴とする衛生洗浄装置。
【請求項２】
前記光源から発光された紫外線を反射する反射体をさらに備え、
前記光源が前記洗浄ノズルに紫外線を照射するときに、前記移動部は、前記反射体を前記ケーシング外に進出させることを特徴とする請求項１記載の衛生洗浄装置。
【請求項３】
前記光源と前記洗浄ノズルとが前記移動部により相対的に移動しつつ、前記光源が前記洗浄ノズルの外周表面に紫外線を照射することを特徴とする請求項１または２に記載の衛生洗浄装置。
【請求項４】
前記光源は、それぞれが紫外線を放出する複数の紫外線照射体を有し、
隣接する前記紫外線照射体どうしの間の距離は、前記ケーシング内に収納された状態よりも前記ケーシング外に進出した状態の方が大きいことを特徴とする請求項１〜３のいずれか１つに記載の衛生洗浄装置。
【発明の詳細な説明】
【技術分野】
【０００１】
本発明の態様は、一般的に、衛生洗浄装置に関し、具体的には洋式腰掛便座に腰掛けた使用者の「おしり」などを水で洗浄する衛生洗浄装置に関する。
【背景技術】
【０００２】
局部洗浄用の洗浄ノズルは、その洗浄ノズルや温水タンクなどの所定の機能部品を取り付けるケーシングから少なくとも一部を外部に露出（進出）した状態で局部に洗浄水を噴射する。そのため、洗浄ノズルには汚水や汚物が付着するおそれがある。そこで、洗浄ノズルに付着した汚水や汚物を除去するために、洗浄ノズルの表面に水を噴射するノズルクリーニング機能を備えた衛生洗浄装置がある。しかしながら、洗浄ノズルにはより一層の清潔感が求められている。
【０００３】
これに対して、洗浄ノズルの表面を殺菌したり、雑菌や細菌などの有機物を分解する光触媒を励起するために、洗浄ノズルに紫外線を照射する機能を備えた装置がある。例えば、洗浄ノズルを収納するノズル収納室に、紫外線を照射する紫外線照射手段を備え、洗浄ノズルや吐水口を紫外線で殺菌可能な衛生洗浄装置がある（特許文献１）。特許文献１に記載された衛生洗浄装置では、洗浄ノズルの表面に光触媒が設けられ、洗浄ノズルの防汚効果あるいは殺菌効果あるいは防臭効果を得ることもできる。また、洗浄ノズルの噴射孔や吐水部に紫外線を照射する殺菌灯を洗浄ノズルの近傍に設けた装置がある（特許文献２および３）。
【０００４】
しかしながら、洗浄ノズルの上から汚水や汚物が垂れて洗浄ノズルに付着するため、その汚水や汚物が洗浄ノズルの表面を移動して洗浄ノズルの全長に付着するおそれがある。このような場合において、特許文献１〜３に記載された装置は、洗浄ノズルの全長に紫外線を照射できないという問題がある。
【０００５】
これに対して、洗浄ノズルの全長に紫外線を照射するためには、紫外線照射体を洗浄ノズルからある程度離して設ける必要がある。しかしながら、ケーシングに収納された状態の洗浄ノズルに紫外線を照射する場合に、紫外線照射体を洗浄ノズルからある程度離して設けると、ケーシングおよび衛生洗浄装置が大型化するおそれがある。また、洗浄ノズルが複数のシリンダ（可動部）を有する多段式ノズルである場合には、収納状態にある洗浄ノズルの内側のシリンダには紫外線を照射することができない。
【先行技術文献】
【特許文献】
【０００６】
【特許文献１】特開２００６−２７４６４１号公報
【特許文献２】特開２００１−６５０３５号公報
【特許文献３】実開昭６３−７６０７８号公報
【発明の概要】
【発明が解決しようとする課題】
【０００７】
本発明は、かかる課題の認識に基づいてなされたものであり、洗浄ノズルの全長に紫外線を照射することができる衛生洗浄装置を提供することを目的とする。
【課題を解決するための手段】
【０００８】
第１の発明は、ケーシングと、前記ケーシングに収納され、人体局部に吐水する洗浄ノズルと、前記洗浄ノズルの外周表面に紫外線を照射する光源と、前記洗浄ノズルおよび前記光源を前記ケーシング内外に進退させる移動部と、を備え、前記光源は、前記移動部により前記ケーシング外に進出し、前記移動部により前記ケーシング外に進出した前記洗浄ノズルの外周表面に紫外線を照射することを特徴とする衛生洗浄装置である。  
この衛生洗浄装置によれば、洗浄ノズルの全長に紫外線を照射することができ、洗浄ノズルの全長に亘って殺菌することができる。
【０００９】
また、第２の発明は、第１の発明において、前記光源から発光された紫外線を反射する反射体をさらに備え、前記光源が前記洗浄ノズルに紫外線を照射するときに、前記移動部は、前記反射体を前記ケーシング外に進出させることを特徴とする衛生洗浄装置である。  この衛生洗浄装置によれば、光源と同じ側の洗浄ノズルの表面と、光源とは反対側の洗浄ノズルの表面と、に紫外線を照射することができる。そのため、洗浄ノズルの表面を全周に亘って殺菌することができる。
【００１０】
また、第３の発明は、第１または第２の発明において、前記光源と前記洗浄ノズルとが前記移動部により相対的に移動しつつ、前記光源が前記洗浄ノズルの外周表面に紫外線を照射することを特徴とする衛生洗浄装置である。  
この衛生洗浄装置によれば、光源の設置数を低減することができ、ケーシング内における光源の収納空間を小さくすることができる。
【００１１】
また、第４の発明は、第１〜第３のいずれか１つに記載の発明において、前記光源は、それぞれが紫外線を放出する複数の紫外線照射体を有し、隣接する前記紫外線照射体どうしの間の距離は、前記ケーシング内に収納された状態よりも前記ケーシング外に進出した状態の方が大きいことを特徴とする衛生洗浄装置である。  
この衛生洗浄装置によれば、光源の設置数を低減することができ、ケーシング内における光源の収納空間を小さくすることができる。
【発明の効果】
【００１２】
本発明の態様によれば、洗浄ノズルの全長に紫外線を照射することができる衛生洗浄装置が提供される。
【図面の簡単な説明】
【００１３】
【図１】本発明の実施の形態にかかる衛生洗浄装置を表す平面模式図である。
【図２】本実施形態の紫外線照射体の概略について説明するための平面模式図である。
【図３】反射体の変形例を例示する平面模式図である。
【図４】本実施形態の紫外線照射体の具体例を例示する斜視模式図である。
【図５】本具体例のスライダを表す斜視模式図である。
【図６】本具体例のスライダの内部構造を表す断面模式図である。
【図７】本具体例の紫外線照射体を備えた衛生洗浄装置の主な水路構成を例示するブロック図である。
【図８】本実施形態の紫外線照射体の他の具体例を例示する平面模式図である。
【図９】本実施形態の紫外線照射体のさらに他の具体例を例示する平面模式図である。
【発明を実施するための形態】
【００１４】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を表す平面模式図である。  
本実施形態の衛生洗浄装置１００は、図１に表したように、洋式腰掛便器（以下、単に「便器」という）５００の上部に設けられるケーシング２００を備える。なお、図１には表していないが、衛生洗浄装置１００は、ケーシング２００に対して開閉自在にそれぞれ軸支された便座および便蓋を適宜備える。但し、便蓋は、必ずしも設けなくてもよい。
【００１５】
ケーシング２００の内部には、衛生洗浄機能を実現するための機能部品が設けられている。より具体的には、衛生洗浄装置１００は、各機能部品を制御する制御部２５１と、便座に座った使用者の「おしり」などに向けて水を噴出する洗浄ノズル２２５を有するノズルユニット２２０と、を適宜備える。また、衛生洗浄装置１００は、便器５００のボウル内の空気を吸い込み、フィルタや触媒などを介して臭気成分を低減させる脱臭機能部や、便座に座った使用者の「おしり」などに向けて温風を吹き付けて乾燥させる温風乾燥機能部や、トイレ室内に温風を吹き出してトイレ室を暖房する室内暖房機能部などを備える。なお、脱臭機能部や温風乾燥機能部や室内暖房機能部などは、必ずしも設けなくてもよい。
【００１６】
ノズルユニット２２０は、洗浄ノズル２２５と、洗浄ノズル２２５を移動させる移動部２２３と、を有している。洗浄ノズル２２５は、例えばベルトなどの伝動部材を介して移動部２２３から伝達される駆動力により、図１に表した矢印Ａのように、ケーシング２００内外に進退自在に移動できる。すなわち、洗浄ノズル２２５は、洗浄ノズル２２５自身の軸方向（進退方向）に直進移動することができる。
【００１７】
洗浄ノズル２２５の先端部には、ひとつあるいは複数の吐水口２２７が設けられている。洗浄ノズル２２５は、便座に座った使用者の「おしり」などに向けて、給水バルブを介して供給された水を吐水口２２７から噴射可能とされている。なお、本願明細書において「水」という場合には、冷水のみならず、加温されたお湯も含むものとする。
【００１８】
ノズルユニット２２０には、ノズル洗浄室２２９が設けられている。ノズル洗浄室２２９は、その内部に設けられた吐水口から水を噴射することにより、洗浄ノズル２２５の外周表面を洗浄することができる。また、ノズル洗浄室２２９は、洗浄ノズル２２５の進退時において、外周表面の洗浄を行うノズル洗浄水が飛散することを抑制できる。洗浄ノズル２２５は、ノズル洗浄室２２９を貫通して進出または後退する。
【００１９】
また、ケーシング２００の内部には、洗浄ノズル２２５の外周表面に紫外線を照射する紫外線照射体２３０が設けられている。紫外線照射体２３０は、基板２３１と、基板２３１に支持され紫外線を発光する光源２３３と、光源２３３から発光された紫外線を反射する反射体２３５と、を有する。そして、紫外線照射体２３０は、洗浄ノズル２２５と同様に、移動部２２３から伝達される駆動力により、図１に表した矢印Ａのように、ケーシング２００内外に進退自在に移動できる。但し、紫外線照射体２３０を移動させる移動部と、洗浄ノズル２２５を移動させる移動部と、は共通ではなく別体として設けられていてもよい。
【００２０】
洗浄ノズル２２５の移動部と、紫外線照射体２３０の移動部と、を図１に表した移動部２２３などで共用化する場合には、便座に座った使用者の「おしり」などを洗浄するときに紫外線照射体２３０がケーシング２００外に進出しないようにする図示しないストッパなどを設けることがより好ましい。これによれば、洗浄ノズル２２５の吐水口２２７から洗浄水を吐水するときに、紫外線照射体２３０が邪魔になることはない。一方、洗浄ノズル２２５の移動部と、紫外線照射体２３０の移動部と、を別体として設ける場合には、便座に座った使用者の「おしり」などを洗浄するときに、紫外線照射体２３０をケーシング２００外に進出させないように紫外線照射体２３０の移動部を制御すればよい。
【００２１】
光源２３３は、例えば、発光ダイオード（ＬＥＤ：Light Emitting Diode）、ブラックライト、ケミカルライト、水銀ランプ、あるいはキセノンランプなどである。これらの中、発光ダイオードはより長寿命であり、交換頻度を抑えることができるため、有用な光源の１つである。また、発光ダイオードは、電気から光への変換効率がより高く、消費電力を抑えることができるため、省エネルギーで有用な光源の１つである。
【００２２】
紫外線照射体２３０は、前述したように、移動部２２３から伝達される駆動力により、図１に表した矢印Ａのように、ケーシング２００内外に進退自在に移動できる。すなわち、紫外線照射体２３０は、洗浄ノズル２２５の軸方向（進退方向）に直進移動することができる。そして、紫外線照射体２３０は、図１に表したように、ケーシング２００外に進出して光源２３３から紫外線を発光することにより、ケーシング２００外に進出した洗浄ノズル２２５の外周表面に紫外線を照射できる。
【００２３】
これにより、洗浄ノズル２２５の全長に紫外線を照射することができる。また、洗浄ノズル２２５が複数のシリンダ（可動部）を有する多段式ノズルである場合であっても、ケーシング２００から進出した洗浄ノズル２２５の外周表面、すなわち複数のシリンダが伸長した洗浄ノズル２２５の外周表面に紫外線を照射することができる。そのため、洗浄ノズル２２５が多段式ノズルであっても、洗浄ノズル２２５の全長に紫外線を照射することができる。また、紫外線照射体２３０は、反射体２３５を有するため、光源２３３から発光された紫外線を反射体２３５において反射することにより、洗浄ノズル２２５の全周に紫外線を照射することができる。これについては、後に詳述する。
【００２４】
なお、洗浄ノズル２２５は、ケーシング２００から少なくとも一部を外部に露出（進出）した状態で局部に洗浄水を噴射する。そのため、洗浄ノズル２２５の上から汚水や汚物が垂れて洗浄ノズル２２５に付着したり、便器５００のボウルから跳ね返った水が洗浄ノズル２２５に付着する部分は、ケーシング２００から外部に露出した洗浄ノズル２２５の表面である。したがって、ケーシング２００から外部に露出した部分の洗浄ノズル２２５の全長および全周を殺菌、防汚、あるいは防臭することができれば、洗浄ノズル２２５の最低限の清潔感を確保することができる。そこで、本願明細書において、「ケーシング２００から外部に露出した部分の洗浄ノズル２２５の全長」は、単に「洗浄ノズル２２５の全長」と記載した範囲に包含されるものとする。
【００２５】
また、洗浄ノズル２２５の表面には、光触媒を有する層が設けられていてもよい。光触媒は、紫外線を照射されると、励起して酸化還元反応を生ずる。その結果、雑菌や細菌や臭気物質などの有機物を分解する分解作用と、表面が水に濡れやすい親水作用と、を得ることができる。
【００２６】
より具体的には、光触媒を有する層が設けられた洗浄ノズル２２５の表面に紫外線を照射すると、その紫外線および空気中の水や酸素などにより、洗浄ノズル２２５の表面に活性酸素が発生する。その活性酸素は、洗浄ノズル２２５の表面に付着した汚れや雑菌や細菌や臭気物質などを分解する。また、その活性酸素は、揮発性有機化合物（ＶＯＣ：Volatile Organic Compounds）なども分解する。そのため、光触媒の分解作用により、洗浄ノズル２２５の表面の殺菌や防汚や防臭を行うことができる。
【００２７】
また、光触媒を有する層が設けられた洗浄ノズル２２５の表面に紫外線を照射すると、その表面には周囲の水との結合による親水基（−ＯＨ）が表出することによりその表面は水になじむようになり、濡れやすくなる（親水作用）。すなわち、洗浄ノズル２２５の表面には水滴ができず、水が表面に濡れ広がるようになる。そして、予め洗浄ノズル２２５の表面を親水化することにより、汚れは洗浄ノズル２２５の表面に濡れ広がった水の表面に付着することになる。さらに、洗浄ノズル２２５の洗浄に用いるノズル洗浄水が洗浄ノズル２２５の表面とその表面に付着した汚れとの間に入り込み、汚れを浮かして流す。そのため、光触媒の親水作用により、洗浄ノズル２２５の表面の防汚や防曇を行うことができる。
【００２８】
これらによれば、紫外線の照射と、光触媒の分解作用および親水作用と、の相乗効果でより効果的に洗浄ノズル２２５の殺菌や防汚や防臭を行うことができる。このような光触媒としては、例えば酸化チタンや酸化亜鉛、酸化スズなどの金属酸化物や、硫化亜鉛、硫化カドミウムなどの金属硫化物などを挙げることができる。これらのうちで、酸化チタンは、特に顕著な分解作用と親水作用とを示す。
【００２９】
次に、本実施形態の紫外線照射体の概略について説明する。  
図２は、本実施形態の紫外線照射体の概略について説明するための平面模式図である。  また、図３は、反射体の変形例を例示する平面模式図である。  
なお、図２および図３は、図１に表した矢視Ｂの方向から、すなわち洗浄ノズルの軸方向から眺めた平面模式図である。
【００３０】
本実施形態の紫外線照射体２３０では、洗浄ノズル２２５の上側において、光源２３３が洗浄ノズル２２５の軸方向に略並行して例えば２列で配列されている。但し、光源２３３の配列数は２列に限定されるわけではなく、１列であってもよいし、３列以上であってもよい。この光源２３３は、例えば基板２３１などに適宜設けられている。また、洗浄ノズル２２５の左右側方には、連結部材２３４が設けられている。そして、左右側方の連結部材２３４のそれぞれの先端部には、下端部において分割された反射体２３５が設けられている。
【００３１】
反射体２３５の断面形状は、例えば楕円や放物線などである。楕円あるいは放物線の焦点２３５ａ上には、洗浄ノズル２２５が配設されている。また、洗浄ノズル２２５の断面形状の中心２２５ａは、反射体２３５の断面形状から形成される楕円あるいは放物線の中心軸２３５ｃ上に配設されている。さらに、光源２３３側から洗浄ノズル２２５を中心軸２３５ｃに略沿うように見た場合に、洗浄ノズル２２５における光源２３３とは反対側の表面が焦点２３５ａと接するように、洗浄ノズル２２５は配設されている。
【００３２】
これによれば、光源２３３から洗浄ノズル２２５の表面に接線を引いたときのそれぞれ接点２２５ｂ、２２５ｃ同士の間であって、光源２３３と同じ側（上側）の洗浄ノズル２２５の表面は、光源２３３からそれぞれ発光された紫外線によって直接的に照射される。一方、接点２２５ｂと接点２２５ｃとの間であって、光源２３３とは反対側（下側）の洗浄ノズル２２５の表面は、光源２３３からそれぞれ発光され反射体２３５によって反射された紫外線によって照射される。
【００３３】
そのため、本実施形態の紫外線照射体２３０は、光源２３３からそれぞれ発光された直接的な紫外線と、光源２３３からそれぞれ発光され反射体２３５によって反射された間接的な紫外線と、により洗浄ノズル２２５の全周に効率よく紫外線を照射できる。その結果、本実施形態の紫外線照射体２３０は、洗浄ノズル２２５の表面を全周に亘って殺菌できる。
【００３４】
また、連結部材２３４と、反射体２３５と、の接続部には、支持軸２３６が設けられていてもよい。この場合には、反射体２３５は、図２に表した矢印ＣおよびＤのように、連結部材２３４に対して回動自在に移動できる。そして、紫外線照射体２３０がケーシング２００内に収納されるときに、反射体２３５は、連結部材２３４に向かって折り畳まれる。これによれば、ケーシング２００内における紫外線照射体２３０の収納空間を小さくすることができる。
【００３５】
一方、反射体は、図３に表した反射体２３７のように、下端部において分割されていなくともよい。これによれば、光源２３３から発光された紫外線が洗浄ノズル２２５の下側に漏れることを抑制することができ、その紫外線をより有効に利用することができる。また、連結部材２３４は、反射体２３７と同様に、光源２３３から発光された紫外線を反射できる機能を有してもよい。これによれば、光源２３３から発光された紫外線をより有効に利用することができる。
【００３６】
次に、本実施形態の紫外線照射体の具体例について説明する。  
図４は、本実施形態の紫外線照射体の具体例を例示する斜視模式図である。  
また、図５は、本具体例のスライダを表す斜視模式図である。  
また、図６は、本具体例のスライダの内部構造を表す断面模式図である。  
なお、図５（ａ）は、スライダが収縮した状態を表す斜視模式図であり、図５（ｂ）は、スライダが伸長した状態を表す斜視模式図である。
【００３７】
図１に関して前述したように、紫外線照射体２３０を移動させる移動部と、洗浄ノズル２２５を移動させる移動部と、は共通ではなく別体として設けられていてもよい。つまり、紫外線照射体２３０は、洗浄ノズル２２５を移動させる移動部２２３とは別の移動部から伝達される駆動力によりケーシング２００内外に進退自在に移動してもよい。以下の具体例においては、紫外線照射体２３０を移動させる移動部と、洗浄ノズル２２５を移動させる移動部と、が別体として設けられている場合を例に挙げて説明する。
【００３８】
本具体例の紫外線照射体２３０は、スライダ３１０から伝達される駆動力によりケーシング２００内外に進退自在に移動できる。スライダ３１０は、例えば３段式であり、第１の伸縮棒３１１と、第２の伸縮棒３１２と、第３の伸縮棒３１３と、を有する。なお、本具体例では、３段式すなわち３本の伸縮棒を有するスライダを例に挙げたが、これだけには限定されず、伸縮棒が２本あるいは４本以上の多段式のスライダも包含する。
【００３９】
第１の伸縮棒３１１は、図５（ａ）および図５（ｂ）に表したように、第２の伸縮棒３１２に対して摺動自在に設けられ、少なくともその一部が第２の伸縮棒３１２の中に格納可能とされている。また、第２の伸縮棒３１２は、図５（ａ）および図５（ｂ）に表したように、第３の伸縮棒３１３に対して摺動自在に設けられ、少なくともその一部が第３の伸縮棒３１３の中に格納可能とされている。これにより、スライダ３１０は、洗浄ノズル２２５の軸方向に伸縮することができる。なお、第２の伸縮棒３１２および第３の伸縮棒３１３は、必ずしも完全な筒状体である必要はなく、第１の伸縮棒３１１および第２の伸縮棒３１２をそれぞれ摺動自在に保持できればよい。これら各要素の摺動動作（伸縮動作）は、水圧および弾性力により実施される。
【００４０】
より具体的に説明すると、第１の伸縮棒３１１の内部には、図６に表したように、スライダ３１０を収縮させる方向に付勢するばね３１５が設けられている。そして、スライダ３１０を伸長させる場合には、第１〜第３の伸縮棒３１１、３１２、３１３の少なくともいずれかの内部に水圧をかける。この水圧は、洗浄ノズル２２５に水を供給する水路を分岐し、その分岐した水路から第１〜第３の伸縮棒３１１、３１２、３１３の少なくともいずれかの内部に水を供給することによりかけられる。これについては、後に詳述する。そして、第１〜第３の伸縮棒３１１、３１２、３１３は、その水圧を受けることにより、ばね３１５の弾性力に逆らいつつ伸長する。
【００４１】
一方、スライダ３１０を収縮させる場合には、スライダ３１０への給水を停止する。そうすると、第１の伸縮棒３１１の内部に設けられたばね３１５の弾性力により、スライダ３１０は、図５（ａ）に表したように収縮する。つまり、内部に供給された水から受ける力よりも、ばね３１５の弾性力の方が大きくなると、スライダ３１０は収縮する。なお、図４に表した洗浄ノズル２２５は、複数の可動部を有する多段式の洗浄ノズルであるが、これだけに限定されるわけではなく、可動部がノズルヘッドのみの単段式の洗浄ノズルであってもよい。
【００４２】
ここで、本具体例の紫外線照射体を備えた衛生洗浄装置の主な水路構成について、図面を参照しつつ説明する。  
図７は、本具体例の紫外線照射体を備えた衛生洗浄装置の主な水路構成を例示するブロック図である。
【００４３】
まず、水道管２６１には、給水圧を調整する調圧弁２６２が接続されている。水道管２６１は、調圧弁２６２の下流側において２つの水路に分岐されている。一方の水路には第１の電磁弁２６３が接続され、他方の水路には第２の電磁弁２８１が接続されている。なお、第１および第２の電磁弁２６３、２８１は、通電により開弁して下流への通水／止水を選択的に切り替えることができる。
【００４４】
第１の電磁弁２６３を通過した水は、入水サーミスタ２６４を経て、熱交換器２７０に流入する。熱交換器２７０は、例えばシーズヒータなどの加熱源であるヒータ２７１を有しており、第１の電磁弁２６３を通して供給される水を貯留して加熱する。熱交換器２７０に水が供給されると、熱交換器２７０の上部に設けられた図示しない出湯口から加熱された水が押し出されて流出する。
【００４５】
また、熱交換器２７０の内部には、熱交換器２７０から流出する水の温度を検知する出水サーミスタ２７２と、フロートスイッチ２７３と、安全弁２７４と、が設けられている。フロートスイッチ２７３は、貯水の水位を検知し、その検知される水位が所定水位以下である場合にはヒータ２７１の駆動を停止する（空焚き防止機能）。安全弁２７４は、水路の圧力が上昇した時に開いて、水を便器５００のボウルなどに排出する。また、フロートスイッチ２７３と安全弁２７４との間の水路には、バキュームブレーカ２６５が設けられている。バキュームブレーカ２６５は、外部から空気を水路に取り込むことができる。
【００４６】
熱交換器２７０から流出した水は、第１の切替弁２６６によって、その供給先を洗浄ノズル２２５およびノズル洗浄室２２９のいずれかに切り替えられる。そして、洗浄ノズル２２５に導水された水は、第２の切替弁２６８により、その供給先を「おしり洗浄」や「ビデ洗浄」などに使用される複数の吐水口２２７（図１参照）のいずれかに切り替えられる。なお、第１の切替弁２６６と、第２の切替弁２６８と、の間には、水に脈動を与える脈動ポンプ２６７が設けられてもよい。
【００４７】
一方、第２の電磁弁２８１を通過した水は、水路２８２内を導水され、スライダ２４０の内部に供給される。より具体的には、図４〜図６に関して前述したように、第２の電磁弁２８１を通過した水は、第１〜第３の伸縮棒３１１、３１２、３１３の少なくともいずれかの内部に供給される。そうすると、スライダ２４０は、図５（ｂ）に表したように伸長する。
【００４８】
このような水路構成によれば、制御部２５１は、第１の電磁弁２６３および第２の電磁弁２８１の動作をそれぞれ制御できる。そのため、制御部２５１は、洗浄ノズル２２５および紫外線照射体２３０の動作をそれぞれ制御できる。便座に座った使用者の「おしり」などを洗浄する場合には、制御部２５１は、第２の電磁弁２８１を閉止し、スライダ２４０を収縮状態に制御できる。これによれば、洗浄ノズル２２５の吐水口２２７から洗浄水を吐水するときに、紫外線照射体２３０が邪魔になることはない。一方、洗浄ノズル２２５の外周表面に紫外線を照射する場合には、制御部２５１は、第２の電磁弁２８１を開放し、スライダ２４０を伸長させることができる。これにより、洗浄ノズル２２５の全長に紫外線を照射することができる。
【００４９】
また、制御部２５１は、洗浄ノズル２２５および紫外線照射体２３０の動作をそれぞれ制御できるため、洗浄ノズル２２５に対して紫外線照射体２３０を移動させつつ、光源２３３から紫外線を照射させることができる。例えば、制御部２５１は、洗浄ノズル２２５をケーシング２００から進出させた状態で、紫外線照射体２３０を洗浄ノズル２２５の軸方向（進退方向）に直進移動させることができる。これによれば、図４に表したように、洗浄ノズル２２５の軸方向に複数の光源２３３を配列させる必要はない。そのため、光源２３３の設置数を低減することができ、紫外線照射体２３０を小型化することができる。その結果、ケーシング２００内における紫外線照射体２３０の収納空間を小さくすることができる。
【００５０】
なお、紫外線照射体２３０は、ノズル洗浄室２２９と一体化されていてもよい。すなわち、例えば、ノズル洗浄室２２９の内部に光源２３３や反射体２３５が設けられていてもよい。そして、光源２３３や反射体２３５などを内蔵したノズル洗浄室２２９は、スライダ３１０に接続され、スライダ３１０から伝達される駆動力によりケーシング２００内外に進退自在に移動できる。これによれば、紫外線照射体２３０と、ノズル洗浄室２２９と、を一体化することができるため、衛生洗浄装置１００の構造を簡略化し小型化することができる。
【００５１】
次に、本実施形態の紫外線照射体の他の具体例について説明する。  
図８は、本実施形態の紫外線照射体の他の具体例を例示する平面模式図である。  
なお、図８（ａ）は、紫外線照射体２３０がケーシング２００内に収納された状態を表す平面模式図であり、図８（ｂ）は、紫外線照射体２３０がケーシング２００から進出した状態を表す平面模式図である。
【００５２】
本具体例では、紫外線照射体２３０を移動させる移動部は、例えば「ボールねじ」などと呼ばれる伝達部材３２１と、伝達部材３２１に螺合されたねじ３２２と、紫外線照射体２３０を支持する支持体３２４と、ねじ３２２および支持体３２４に回動自在に軸支された連結軸３２３と、を有する。ねじ３２２と、連結軸３２３と、を軸支する支持軸３２６にはモータなどの駆動部が内蔵されており、その駆動部は、支持軸３２６を中心として連結軸３２３を回動できる。また、連結軸３２３は、支持軸３２７により回動自在に支持体３２４に軸支されている。そして、紫外線照射体２３０は、支持体３２４から伝達される駆動力によりケーシング２００内外に進退自在に移動できる。
【００５３】
紫外線照射体２３０をケーシング２００外に進出させる場合には、制御部２５１は、まず、伝達部材３２１を図８（ａ）に表した矢印Ｅのように回動させる。そうすると、ねじ３２２は、伝達部材３２１から伝達された駆動力により、図８（ａ）に表した矢印Ｆ、すなわちケーシング２００外に進出する方向に移動する。これより、支持体３２４に接続された紫外線照射体２３０は、ケーシング２００外に進出する方向に移動できる。
【００５４】
そして、紫外線照射体２３０をケーシング２００外に進出する方向にさらに移動させるために、制御部２５１は、支持軸３２６に内蔵された駆動部を駆動させる。そうすると、その駆動部は、図８（ａ）に表した矢印Ｇのように、支持軸３２６を中心として連結軸３２３を回動させる。これにより、支持軸３２７により連結軸３２３に軸支された支持体３２４は、図８（ａ）に表した矢印Ｈのように、ケーシング２００外に進出する方向に移動する。このようにして、支持体３２４に支持された紫外線照射体２３０は、ケーシング２００外に進出することができる。一方、紫外線照射体２３０をケーシング２００内に収納する場合には、伝達部材３２１および支持軸３２６に内蔵された駆動部を、進出時とは反対方向に駆動させればよい。
【００５５】
本具体例によれば、図４〜図７に関して前述した具体例と同様に、制御部２５１は、洗浄ノズル２２５および紫外線照射体２３０の動作をそれぞれ制御できる。そのため、洗浄ノズル２２５に対して紫外線照射体２３０を移動させつつ光源２３３から紫外線を照射させることにより、洗浄ノズル２２５の全長に紫外線を照射することができる。これによれば、図４〜図７に関して前述したように、洗浄ノズル２２５の軸方向に複数の光源２３３を配列させる必要はなく、光源２３３の設置数を低減することができる、その結果、ケーシング２００内における紫外線照射体２３０の収納空間を小さくすることができる。また、洗浄ノズル２２５の吐水口２２７から洗浄水を吐水するときに、紫外線照射体２３０が邪魔になることもない。
【００５６】
図９は、本実施形態の紫外線照射体のさらに他の具体例を例示する平面模式図である。  なお、図９（ａ）は、紫外線照射体２３０がケーシング２００内に収納された状態を表す平面模式図であり、図９（ｂ）は、紫外線照射体２３０がケーシング２００から進出した状態を表す平面模式図である。
【００５７】
本具体例では、複数の紫外線照射体２３０が設けられている。そして、紫外線照射体２３０を移動させる移動部は、紫外線照射体２３０に接続されたワイヤ３３５と、ワイヤ３３５を巻き取るワイヤ巻取部３３１と、隣接する紫外線照射体２３０同士の間の距離を伸長する方向に付勢するばね３３２と、紫外線照射体２３０の移動を案内するガイド部３３３と、を有する。また、隣接する紫外線照射体２３０は、それぞれの光源２３３に通電するケーブル３３４により接続されている。
【００５８】
ワイヤ３３５は、洗浄ノズル２２５の先端側の紫外線照射体２３０に接続されている。また、ガイド部３３３は、図５に表したスライダ３１０と同様に、洗浄ノズル２２５の軸方向に伸縮することができる。なお、ワイヤ３３５は、ガイド部３３３の内部に設けられてもよい。
【００５９】
紫外線照射体２３０をケーシング２００外に進出させる場合には、制御部２５１は、ワイヤ巻取部３３１のロックを解除する。そうすると、隣接する紫外線照射体２３０同士の間に設けられたばね３３２は、その紫外線照射体２３０同士の間の距離を伸長する方向に付勢しているため、紫外線照射体２３０は、図９（ｂ）に表したように、ケーシング２００外に進出する方向にそれぞれ移動する。
【００６０】
一方、紫外線照射体２３０をケーシング２００内に収納する場合には、制御部２５１は、ワイヤ巻取部３３１を駆動させてワイヤ３３５を巻き取る。そうすると、紫外線照射体２３０は、ばね３３２の弾性力に逆らいつつケーシング２００内に後退する方向にそれぞれ移動する。すなわち、本具体例では、隣接する紫外線照射体２３０同士の間の距離は、ケーシング２００に収納された状態よりも、ケーシング２００から進出した状態の方が大きい。
【００６１】
本具体例によれば、図４〜図８に関して前述した具体例と同様に、洗浄ノズル２２５に対して紫外線照射体２３０を移動させつつ光源２３３から紫外線を照射させることにより、洗浄ノズル２２５の全長に紫外線を照射することができる。そのため、図４〜図８に関して前述した効果と同様に、光源２３３の設置数を低減することができ、ケーシング２００内における紫外線照射体２３０の収納空間を小さくすることができる。また、洗浄ノズル２２５の吐水口２２７から洗浄水を吐水するときに、紫外線照射体２３０が邪魔になることもない。
【００６２】
以上説明したように、本実施形態によれば、紫外線照射体２３０は、ケーシング２００外に進出して光源２３３から紫外線を発光することにより、ケーシング２００外に進出した洗浄ノズル２２５の外周表面に紫外線を照射できる。そのため、洗浄ノズル２２５の全長に紫外線を照射することができる。また、紫外線照射体２３０は、反射体２３５を有するため、光源２３３から発光された紫外線を反射体２３５において反射することにより、洗浄ノズル２２５の全周に紫外線を照射することができる。また、紫外線照射体２３０を移動させる移動部と、洗浄ノズル２２５を移動させる移動部と、を別体として設けると、洗浄ノズル２２５に対して紫外線照射体２３０を移動させつつ、光源２３３から紫外線を照射させることができる。そのため、光源２３３の設置数を低減することができ、ケーシング２００内における紫外線照射体２３０の収納空間を小さくすることができる。また、洗浄ノズル２２５の吐水口２２７から洗浄水を吐水するときに、紫外線照射体２３０が邪魔になることもない。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、紫外線照射体２３０などが備える各要素の形状、寸法、材質、配置などや光源２３３の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１００ 衛生洗浄装置、  ２００ ケーシング、  ２２０ ノズルユニット、  ２２３ 移動部、  ２２５ 洗浄ノズル、  ２２５ａ 中心、  ２２５ｂ、２２５ｃ 接点、  ２２７ 吐水口、  ２２９ ノズル洗浄室、  ２３０ 紫外線照射体、  ２３１ 基板、  ２３３ 光源、  ２３４ 連結部材、  ２３５ 反射体、  ２３５ａ 焦点、  ２３５ｃ 中心軸、  ２３６ 支持軸、  ２３７ 反射体、  ２４０ スライダ、  ２５１ 制御部、  ２６１ 水道管、  ２６２ 調圧弁、  ２６３ 第１の電磁弁、  ２６４ 入水サーミスタ、  ２６５ バキュームブレーカ、  ２６６ 第１の切替弁、  ２６７ 脈動ポンプ、  ２６８ 第２の切替弁、  ２７０ 熱交換器、  ２７１ ヒータ、  ２７２ 出水サーミスタ、  ２７３ フロートスイッチ、  ２７４ 安全弁、  ２８１ 第２の電磁弁、  ２８２ 水路、  ３１０ スライダ、  ３１１ 第１の伸縮棒、  ３１２ 第２の伸縮棒、  ３１３ 第３の伸縮棒、  ３１５ ばね、  ３２１ 伝達部材、  ３２２ ねじ、  ３２３ 連結軸、  ３２４ 支持体、  ３２６、３２７ 支持軸、  ３３１ ワイヤ巻取部、  ３３２ ばね、  ３３３ ガイド部、  ３３４ ケーブル、  ３３５ ワイヤ、  ５００ 便器
【図１】
2010189849.tif 000003
【図２】
2010189849.tif 000004
【図３】
2010189849.tif 000005
【図４】
2010189849.tif 000006
【図５】
2010189849.tif 000007
【図６】
2010189849.tif 000008
【図７】
2010189849.tif 000009
【図８】
2010189849.tif 000010
【図９】
2010189849.tif 000011